(57)【要約】【課題】  画像データの出力注文処理を円滑に進める。【解決手段】  読み出し／記録制御部１２は、メモリカード４０から画像データを読み出し、一意に識別可能な識別情報を生成し、識別情報と画像データとを対応づけて記憶装置１３に格納する。注文票発行部１４は注文票５０をユーザに発行する。注文票５０には、識別情報、識別情報に対応づけられた画像データのサムネイル、サムネイルに対応する画像データについての注文情報記入欄が表示されている。スキャナ２１は、ユーザにより注文情報が記入された注文票６０から識別情報と注文情報とを読み取る。読み取り制御部２２は、識別情報に対応する画像データに対応づけて注文情報を記憶装置１３に格納する。【選択図】  図１
2005251026.tif 000002
【特許請求の範囲】
【請求項１】
画像データの出力注文を受け付けるシステムであって、
注文票発行端末を備え、
前記注文票発行端末は、
ユーザにより提示された記録媒体に格納されている画像データを読み出し、一意に識別可能な識別情報と対応づけて記憶装置に格納する手段（ａ）と、
注文票を前記ユーザに対して発行する手段（ｂ）とを備え、
前記注文票には、
前記識別情報が表示された領域が設けられている、
ことを特徴とする注文受付システム。
【請求項２】
請求項１において、
前記注文票には、
前記識別情報に対応づけられている画像データのサムネイルが表示された領域と、
前記識別情報に対応づけられている画像データについての注文情報の入力を前記ユーザに促す領域とがさらに設けられており、
前記注文情報には、
前記画像データの出力を希望するか否かを示す情報が含まれており、
前記注文受付システムは、
注文票受付端末をさらに備え、
前記注文票受付端末は、
ユーザにより提示された注文票から識別情報と注文情報とを読み取る手段（ｃ）と、
前記手段（ｃ）により読み取られた注文情報を、前記手段（ｃ）により読み取られた識別情報に対応づけられて前記記憶装置に格納されている画像データと対応づけて前記記憶装置に格納する手段（ｄ）とを備える、
ことを特徴とする注文受付システム。
【請求項３】
請求項１において、
注文票受付端末をさらに備え、
前記注文票受付端末は、
ユーザにより提示された識別情報を認識する手段（ｅ）と、
前記手段（ｅ）により認識された識別情報に対応づけられて前記記憶装置に格納されている画像データのサムネイルを前記ユーザに提示する手段（ｆ）と、
前記手段（ｆ）により提示されたサムネイルに対応する画像データについての注文情報の入力を前記ユーザに促す手段（ｇ）と、
前記ユーザにより入力された注文情報を、前記手段（ｅ）により認識された識別情報に対応づけられて前記記憶装置に格納されている画像データと対応づけて前記記憶装置に格納する手段（ｈ）とを備え、
前記注文情報には、
前記対応する画像データの出力を希望するか否かを示す情報が含まれている、
ことを特徴とする注文受付システム。
【請求項４】
請求項２または請求項３において、
前記注文票受付端末は、
前記手段（ｃ）により読み取られた注文情報または前記手段（ｇ）により入力された注文情報に画像データの出力を希望しない旨を示す情報が含まれているとき、その注文情報に対応づけられている画像データを前記記憶装置から削除する手段（ｉ）をさらに備える、
ことを特徴とする注文受付システム。
【請求項５】
請求項１において、
前記画像データの出力とは、
前記画像データを紙媒体へプリントする処理である、
ことを特徴とする注文受付システム。
【請求項６】
請求項１において、
前記画像データの出力とは、
前記ユーザが提示する記録媒体とは異なる記録媒体へ前記画像データを格納する処理である、
ことを特徴とする注文受付システム。
【発明の詳細な説明】
【技術分野】
【０００１】
本発明は、デジタルカメラ等で撮影された画像データの出力注文（写真プリント注文、他の記録媒体への記録注文など）を受け付けるシステムに関する。
【背景技術】
【０００２】
近年、デジタルカメラやカメラ付き携帯電話で撮影した画像データを写真プリント出力したりＣＤ−Ｒ等の記録媒体へ出力したりするサービスが普及している。
【０００３】
このサービスが行われ始めた頃は、デジタルカメラ等で撮影された画像データが記録された記録媒体をユーザがサービス店に持ち込みプリント出力を依頼し、この記録媒体をサービス店が一時的に預かった上でこの記録媒体から画像データを読み出し写真プリント処理を行い、できあがった写真と一緒に記録媒体をユーザに返却していた。
【０００４】
ところが、デジタル記録媒体は読み出し装置により可視化しない限りは収録されている画像数などを確認できないうえに、画像データの書き込み／消去が自在であることから、データについてユーザとサービス店との間でトラブルが生じた場合に責任の所在を解明することが困難であるという問題があった。また、注文完了と同時にメモリカードの返却を希望するユーザが多かった。
【０００５】
このような問題を避けるために現在では、注文完了までの画像データの取り扱いを全てユーザに任せることができる店頭受付機が多く使われている。店頭受付機による注文処理の大まかな流れは次のようになっている。
【０００６】
画像データが記録された記録媒体をユーザが店頭受付機に挿入する。店頭受付機のモニタに表示される指示に従ってユーザは、プリントを希望する画像・サイズ・枚数等を指定する。店頭受付機は、指定された画像データを記録媒体から読み出し、指定された他の条件とともにこれを記憶し、注文受付証をユーザに発行する。ユーザは、注文受付証と記録媒体を持ち帰る。店頭受付機に記憶された画像データおよび条件は写真処理装置に転送され、これに基づいて写真処理装置おいてプリント処理が行われる。後日ユーザは、注文受付証と引き替えに店頭にて写真プリントを受け取る。
【特許文献１】特開２００３−７６７７２号公報
【発明の開示】
【発明が解決しようとする課題】
【０００７】
上述の店頭受付機を介した注文処理では、記録媒体を受付機に装填し、画像を確認し、プリントの諸注文条件を入力する等の種々の操作をユーザが行う必要がある。このため、１人のユーザが店頭受付機を占拠する時間が長くなりがちになり、店頭受付機の前に行列ができたり、注文を希望する他のユーザが注文を諦めたりすることも少なくない。特に機械の操作が苦手なユーザには受け入れられにくく、また、誤った操作による注文間違いや機器の破損につながる危険を持っていた。
【０００８】
本発明は上記のような問題を解決するためになされたものであり、その目的は、注文処理を円滑に進めることができるシステムを提供することである。
【課題を解決するための手段】
【０００９】
本発明による注文受付システムは、画像データの出力注文を受け付けるシステムであって、注文票発行端末を備える。前記注文票発行端末は、ユーザにより提示された記録媒体に格納されている画像データを読み出し、一意に識別可能な識別情報と対応づけて記憶装置に格納する手段（ａ）と、注文票を前記ユーザに対して発行する手段（ｂ）とを備える。前記注文票には、前記識別情報が表示された領域が設けられている。
【００１０】
上記システムにおいては、ユーザの記録媒体に格納された画像データを読み出して記憶装置へ格納する処理と注文票を発行する処理とを行うと当該ユーザに対する受付処理を一旦終了し、次のユーザに対して同様の受付処理を行うことが可能となる。従来の店頭受付機においては、画像を確認したりプリントの諸注文条件を入力したり等のユーザによる種々の機器操作を行った後でないと次のユーザに対する注文受付処理を行うことができなかった。この点において上記システムは、従来の店頭受付機と比べて、１人のユーザがある１つの端末（従来例では店頭受付機、本発明では注文票発行端末）を占拠する時間を短くすることができ、注文受付処理を円滑に進めることができる。
【００１１】
上記受付システムにおいて、前記注文票には、前記識別情報に対応づけられている画像データのサムネイルが表示された領域と、前記識別情報に対応づけられている画像データについての注文情報の入力を前記ユーザに促す領域とがさらに設けられており、前記注文情報には、前記画像データの出力を希望するか否かを示す情報が含まれており、前記注文受付システムは、注文票受付端末をさらに備え、前記注文票受付端末は、ユーザにより提示された注文票から識別情報と注文情報とを読み取る手段（ｃ）と、前記手段（ｃ）により読み取られた注文情報を、前記手段（ｃ）により読み取られた識別情報に対応づけられて前記記憶装置に格納されている画像データと対応づけて前記記憶装置に格納する手段（ｄ）とを備えることが好ましい。
【００１２】
上記受付システムにおいてユーザは、画像データのサムネイルと画像データについての注文情報を入力する領域とが表示された注文票を注文票発行端末から受け取る。したがってユーザは、出力注文を希望する画像データの選択やその数などの各種の注文条件を注文票発行端末の前で決定する必要はなく、従来の店頭受付機と比べて、１人のユーザがある１つの端末（従来例では店頭受付機、本発明では注文票発行端末）を占拠する時間を短くすることができ、注文受付処理を円滑に進めることができる。また、ユーザ（特に機器操作の苦手なユーザ）にとっては、自分の後ろで待っている他のユーザのプレッシャーを感じることなく、出力注文を希望する画像データの選択やその数などの各種の注文条件を決定することができる。さらに、注文票が紙媒体で構成されている場合には、ユーザは、出力注文を希望する画像データの指示やその数などの各種の注文情報を所定の領域に筆記用具で記入するだけでよい。このことは、特に機器操作の苦手なユーザが従来の店頭受付機に対して抱いていた抵抗感を少なくすることができ、さらにはデジタルカメラからのプリント需要を従来のフィルムカメラ同様に活性化することにもつながる。
【００１３】
画像データについての注文情報を入力したユーザは、その注文票を注文票発行端末ではなく注文票受付端末に提示する。注文票受付端末では、ユーザにより提示された注文票の情報に従って処理が行われる。このように上記受付システムでは注文票発行端末と注文票受付端末とを設けているため、あるユーザについての注文票発行端末による処理と、他のユーザについての注文票受付端末による処理とを並行して行うことができる。
【００１４】
上記受付システムにおいて、注文票受付端末をさらに備え、前記注文票受付端末は、ユーザにより提示された識別情報を認識する手段（ｅ）と、前記手段（ｅ）により認識された識別情報に対応づけられて前記記憶装置に格納されている画像データのサムネイルを前記ユーザに提示する手段（ｆ）と、前記手段（ｆ）により提示されたサムネイルに対応する画像データについての注文情報の入力を前記ユーザに促す手段（ｇ）と、前記ユーザにより入力された注文情報を、前記手段（ｅ）により認識された識別情報に対応づけられて前記記憶装置に格納されている画像データと対応づけて前記記憶装置に格納する手段（ｈ）と備え、前記注文情報には、前記対応する画像データの出力を希望するか否かを示す情報が含まれていることが好ましい。
【００１５】
上記受付システムにおいて、前記注文票受付端末は、前記手段（ｃ）により読み取られた注文情報または前記ユーザにより入力された注文情報に画像データの出力を希望しない旨を示す情報が含まれているとき、その注文情報に対応づけられている画像データを前記記憶装置から削除する手段（ｉ）をさらに備えることが好ましい。
【００１６】
上記画像データの出力とは、前記画像データを紙媒体へプリントする処理（写真プリント処理）であることが好ましい。
【００１７】
上記画像データの出力とは、前記ユーザが提示する記録媒体とは異なる記録媒体へ前記画像データを格納する処理であることが好ましい。
【発明の効果】
【００１８】
本発明によれば、従来の店頭受付機と比べて、１人のユーザがある１つの端末（従来例では店頭受付機、本発明では注文票発行端末）を占拠する時間を短くすることができ、注文受付処理を円滑に進めることができる。
【００１９】
また、従来の店頭受付機に比べて、ユーザにとっても抵抗感無く、かつサービス店にとってもユーザのデータの取り扱いに関するトラブルの心配をすることなく出力注文受付が可能となり、デジタルカメラ等からのプリント需要を従来のフィルムカメラ同様に活性化することができる。
【発明を実施するための最良の形態】
【００２０】
以下、この発明の実施形態を図面を参照して詳しく説明する。なお、図面において同一または相当する部分には同一の参照符号を付してその説明は繰り返さない。
【００２１】
（第１の実施形態）
＜注文受付システムの全体構成＞
第１の実施形態による注文受付システムの全体構成を図１に示す。この注文受付システムは、デジタルカメラやカメラ付き携帯電話等で撮影された画像データの出力注文（写真プリント注文、他の記録媒体への記録注文など）の受付を行っているサービス店の店頭に設置される。たとえば、写真ラボ店やコンビニエンスストア等の店頭に設置される。このシステムは、注文票発行端末１０と、注文票受付端末２０と、写真処理装置３０とを備えている。なお、注文票発行端末１０と注文票受付端末２０のみを店頭に設置し、他の場所に設置された写真処理装置３０との間でネットワークや記録媒体を介して必要なデータのやりとりを行うようにしてもよい。
【００２２】
＜注文票発行端末１０の内部構成＞
注文票発行端末１０は、インタフェース１１と、読み出し／記録制御部１２と、記憶装置１３と、注文票発行部１４と、モニタ１５とを備える。
【００２３】
インタフェース１１は、画像データの出力注文を希望するユーザの記録媒体（ここではメモリカード）４０から画像データを読み出すためのインタフェースであり、たとえばカードスロットやディスクドライブ等である。
【００２４】
読み出し／記録制御部１２は、インタフェース１１を介してメモリカード４０から画像データを読み出すとともに、一意に識別可能な識別情報を生成し、生成した識別情報と読み出した画像データとを対応づけて記憶装置１３に格納する。
【００２５】
注文票発行部１４は、記憶装置１３への画像データの格納が終了すると注文票５０を作成しユーザに発行する。この注文票５０には、読み出し／記録制御部１２により生成された識別情報、この識別情報に対応づけられて記憶装置１３に記憶された画像データのサムネイル、このサムネイルに対応する画像データについての注文情報を記入する欄が表示されている。
【００２６】
モニタ１５には、注文票発行端末１０を利用するユーザを支援するための情報が表示される。たとえば、「メモリカードをスロットに挿入してください。」、「今はメモリカードを抜き取らないでください。」、「メモリカードを抜き取ってください。」、「注文票をお取り下さい。」等のようにユーザが行うべき操作をガイドする情報や、「ただいま注文票を作成中です。しばらくお待ちください。」、「端末内の記憶装置の空き容量が不足しているため注文を受け付けることができません。」等の情報が表示される。
【００２７】
＜注文票受付端末２０の内部構成＞
注文票受付端末２０は、スキャナ２１と、読み取り制御部２２と、モニタ２３とを備える。
【００２８】
スキャナ２１は、ユーザにより注文情報が記入された注文票６０から識別情報と注文情報とを読み取る。
【００２９】
読み取り制御部２２は、スキャナ２１により読み取られた識別情報に対応づけられて記憶装置１３に記憶されている画像データに対応づけて、スキャナ２１により読み取られた注文情報を記憶装置１３に格納する。
【００３０】
モニタ２３には、注文票受付端末２０を利用するユーザを支援するための情報が表示される。たとえば、「注文票をセットしてください。」、「注文票をお取り下さい。」等のようにユーザが行うべき操作をガイドする情報や、「ただいま注文票を読み取り中です。しばらくお待ちください。」等の情報が表示される。
【００３１】
＜注文受付システムによる処理の流れ＞
次に、以上のように構成されたシステムにより行われる注文受付処理について図２を参照しつつ説明する。図２に示すように、このシステムにより行われる処理は、注文票発行ステップＳＴ１１〜ＳＴ１５と注文票受付ステップＳＴ２１〜ＳＴ２４とに大別される。注文票発行ステップＳＴ１１〜ＳＴ１５は注文票発行端末１０において行われる処理であり、注文票受付ステップＳＴ２１〜ＳＴ２４は注文票受付端末２０において行われる処理である。注文票発行ステップＳＴ１１〜ＳＴ１５と注文票受付ステップＳＴ２１〜ＳＴ２４とは互いに並行に実行することが可能である。以下、具体的に説明する。
【００３２】
＜注文票発行ステップ＞
＜ＳＴ１１＞
デジタルカメラで撮影した画像データの出力注文を希望するユーザは、画像データが格納されたメモリカード４０を店頭に持ち込む。そしてユーザは、店頭に設置された注文票発行端末１０のカードスロット１１にメモリカード４０を挿入する。
＜ＳＴ１２＞
カードスロット１１にメモリカード４０が挿入されると、読み出し／記録制御部１２は、そのメモリカード４０に格納されている画像データをすべて読み出す。ここでは図３に示すように、メモリカード４０に画像データ１〜６が格納されているものとする。読み出し／記録制御部１２は、メモリカード４０に格納されている画像データ１〜６を読み出す。次にモニタ１５には、「出力を希望する画像データが格納された記録媒体が他にありますか？」と表示される。これに対してユーザは「はい」、「いいえ」の選択をタッチパネル入力等により行う。ここでは「いいえ」をユーザが選択するものとする。
【００３３】
なお、ここでは画像データ１〜６が１つのメモリカード４０に格納されている場合を例にしたが、画像データ１〜６が複数の記録媒体に分けて格納されている場合には次のような流れになる。まず、複数の記録媒体４０のうち１つ（たとえばメモリカードＡ）をユーザが発行端末１０のスロットに挿入する。このメモリカードＡから画像データ（たとえば画像データ１〜３）が読み出される。「出力を希望する画像データが格納された記録媒体が他にありますか？」のモニタ表示に対してユーザは「はい」を選択する。次にユーザはメモリカードＡを抜き取り、他の記録媒体（たとえばメモリカードＢ）を発行端末１０のスロットに挿入する。このメモリカードＢから画像データ（たとえば画像データ４〜６）が読み出される。他に記録媒体があるときは同様の処理が繰り返され、記録媒体がないときには「出力を希望する画像データが格納された記録媒体が他にありますか？」のモニタ表示に対してユーザは「いいえ」を選択する。
＜ＳＴ１３＞
画像データ１〜６を読み出すとともに読み出し／記録制御部１２は、一意に識別可能な識別情報を作成する。この識別情報は、今回読み出した画像データ１〜６を他の画像データと識別するための情報であり、他の画像データの読み出しの際に作成される識別情報と重複することのないように作成される。ここでは図３に示すように、受付日（すなわちメモリカード４０から画像データ１〜６を読み出した日）と、その受付日における受付順序（すなわちメモリカード４０からの画像データ１〜６の読み出し処理が、受付日における何番目の読み出し処理なのかを示す）とを用いて識別情報を作成する。この例では、受付日は２００４年１月１日であり、画像データ１〜６の読み出し処理は２００４年１月１日における２番目の読み出し処理であるものとする。この場合、読み出し／記録制御部１２は、「２００４０１０１０００２」を識別情報として作成する。複数の記録媒体４０から画像データ１〜６が読み出された場合（たとえば、あるメモリカードＡから画像データ１〜３が読み出され、別のメモリカードＢから画像データ４〜６が読み出された場合）にも、画像データ１〜６に対して１つの識別情報が作成される。なお、識別情報の作成方法としては、バーコードやＰＯＳシステムなどから入力されたオーダー番号、受付日付や時刻、ユーザＩＤなどを使用することも可能である。
＜ＳＴ１４＞
次に読み出し／記録制御部１２は、図３に示すように、記憶装置１３内に識別情報「２００４０１０１０００２」をフォルダ名とするフォルダを作成し、そのフォルダ内に画像データ１〜６を格納する。
＜ＳＴ１５＞
次に注文票発行部１４は、図４に示すような注文票（注文シート）５０を作成しユーザに発行する。この注文票５０には、識別情報を表示するための領域５１０と、この識別情報に対応づけられて記憶装置１３に記憶された画像データのサムネイルを表示する領域５２１〜５２６と、このサムネイルに対応する画像データについての注文情報を記入する領域５３１〜５３６とが設けられている。この例では、領域５１０には識別情報「２００４０１０１０００２」が注文番号として表示されている。また、領域５２１〜５２６には画像データ１〜６のサムネイルが表示されている。領域５２１〜５２６の左上には各サムネイルを識別するための番号１〜６が表示されている。さらに領域５３１〜５３６には、画像データ１〜６についての注文情報（ここでは「枚数」と「サイズ」）をユーザが記入するための欄が表示されている。領域５３１は、領域５２１に表示されたサムネイルに対応する画像データ１についての注文情報をユーザが記入するための領域である。このことをユーザに明示するために領域５３１の左上には、領域５２１の左上に表示されている番号と同じ番号「１」が表示されている。領域５３２〜５３６についても同様である。この例では、領域５３１〜５３６のそれぞれに「枚数」の記入をユーザに促す欄と「サイズ」の選択をユーザに促す欄とが表示されている。「枚数」については希望する数字をユーザが記入するようになっており、「サイズ」については表示されているＬおよび２Ｌのうち希望するサイズのほうをユーザが○印で囲むようになっている。「枚数」の記入欄は、そこに１以上の数字が記入されることによりユーザが出力注文を希望していることを示し、０の数字が記入されるまたは空白であることによりユーザが出力注文を希望していないことを示す。
【００３４】
注文票５０の発行処理が終了するとモニタ１５には、「すべての処理が終了しました。メモリカードを抜き取ってください。注文票をお取り下さい。注文票に注文情報をご記入されましたら注文票受付端末の方へお願いします。」と表示される。
【００３５】
ユーザはメモリカード４０と注文票５０を受け取る。これによりこのユーザに対して注文票発行端末１０において行われる処理が全て終了し、注文票発行端末１０は次のユーザに対する処理を行うことが可能になる。
【００３６】
＜注文票受付ステップ＞
図４に示した注文票５０を受け取ったユーザが図５に示すように注文情報を記入したものとして、以下、注文票受付端末２０において行われる処理について説明する。
＜ＳＴ２１＞
ユーザは、図５のように注文情報が記入された注文票６０をスキャナ２１にセットする。
＜ＳＴ２２＞
注文票６０がセットされるとスキャナ２１は、注文票６０の領域５１０に表示されている識別情報「２００４０１０１０００２」と、領域５３１〜５３６に記入された注文情報とを読み取る。スキャナ２１は、識別情報の読み取り結果として「２００４０１０１０００２」を出力する。また、スキャナ２１は、画像データ１についての注文情報の読み取り結果として「枚数１、サイズＬ」、画像データ２についての注文情報の読み取り結果として「枚数１、サイズＬ」、画像データ３についての注文情報の読み取り結果として「枚数２、サイズ２Ｌ」、画像データ４についての注文情報の読み取り結果として「枚数０」、画像データ５についての注文情報の読み取り結果として「枚数２、サイズＬ」、画像データ６についての注文情報の読み取り結果として「枚数０」を出力する。
＜ＳＴ２３＞
次に読み取り制御部２２は、図６に示すように、スキャナ２１により読み取られた識別情報「２００４０１０１０００２」をフォルダ名とするフォルダに格納されている画像データ１〜６に対応づけて、スキャナ２１により読み取られた注文情報を記憶装置１３に格納する。
＜ＳＴ２４＞
また読み取り制御部２２は、図６に示すように、スキャナ２１による注文情報の読み取り結果として「枚数０」が出力された画像データ４，６についてはユーザからの出力注文の希望がない画像データであると判断し、その画像データ４，６を記憶装置１３から削除する。なお、読み取り制御部２２は、スキャナ２１による注文情報の読み取り結果として「枚数  」（空白）が出力された画像データについてもユーザからの出力注文の希望がない画像データであると判断し、その画像データ４，６を記憶装置１３から削除する。
【００３７】
以上の処理が終了するとモニタ２３には、「すべての処理が終了しました。注文票をお持ち帰り下さい。できあがり予定日は○月○日です。注文票とお引き換えに写真プリントをお渡しします。」と表示される。
【００３８】
これによりこのユーザに対して注文票受付端末２０において行われる処理が全て終了し、注文票受付端末２０は次のユーザに対する処理を行うことが可能になる。
【００３９】
＜写真処理装置３０による出力処理＞
注文票受付端末２０による処理が終了したフォルダ「２００４０１０１０００２」に格納されている画像データ１〜６および注文情報は記憶装置１３から写真処理装置３０に送られる。これらの情報に従って写真処理装置３０において出力処理（写真プリント出力処理あるいは他の記録媒体への記録処理）が行われる。写真処理装置３０における出力処理が完了すると、記憶装置１３内のフォルダ「２００４０１０１０００２」は削除される。
【００４０】
＜課金処理について＞
上述の注文受付システムの利用形態として次の２つが考えられる。１つは注文票発行端末１０および注文票受付端末２０における操作を顧客がすべて行う場合である。もう１つは店員が記録媒体４０を顧客から受け取り、その店員が注文票発行端末１０および注文票受付端末２０における操作を行う場合である。それぞれの場合において顧客への課金を次のように行うことができる。
【００４１】
注文票発行端末１０および注文票受付端末２０における操作を顧客がすべて行う場合には、注文票受付ステップにおいて注文情報を読み取った後（図２のステップＳＴ２２の後）に、読み取った注文情報に応じた金額をモニタ２３に表示し、その金額を料金投入口（図示せず）に投入するように顧客に促す。料金が投入されたことを確認した後にそれ以降（ステップＳＴ２３以降）の処理を行う。
【００４２】
店員が記録媒体４０を顧客から受け取り、その店員が注文票発行端末１０および注文票受付端末２０における操作を行う場合には、上述と同様の方法で行ってもよいし、店員が顧客から名前・連絡先等の情報を入手し（注文票に名前・連絡先等を顧客に記入してもらいその控えを店員が受け取るなど）、料金の精算はプリント物の受け渡しの際に行うようにしてもよい。
【００４３】
＜効果＞
以上のように第１の実施形態による注文受付システムでは、ユーザは、画像データのサムネイルと注文情報を入力する欄とが表示された注文票５０を注文票発行端末１０から受け取る。したがってユーザは、出力注文を希望する画像データの選択やその数などの各種の注文条件を注文票発行端末１０の前で決定する必要はなく、従来の店頭受付機と比べて、１人のユーザがある１つの端末（従来例では店頭受付機、本実施形態では注文票発行端末１０）を占拠する時間を短くすることができ、注文受付処理を円滑に進めることができる。
【００４４】
また、ユーザ（特に機器操作の苦手なユーザ）にとっては、自分の後ろで待っている他のユーザのプレッシャーを感じることなく、出力注文を希望する画像データの選択やその数などの各種の注文条件を決定することができる。
【００４５】
さらに、注文票５０が紙媒体で構成されているため、ユーザは、出力注文を希望する画像データの指示やその数などの各種の注文情報を所定の領域に筆記用具で記入するだけでよい。このことは、特に機器操作の苦手なユーザが従来の店頭受付機に対して抱いていた抵抗感を少なくすることができ、さらにはデジタルカメラからのプリント需要を従来のフィルムカメラ同様に活性化することにもつながる。
【００４６】
画像データについての注文情報を記入したユーザは、その注文票６０を注文票発行端末１０ではなく注文票受付端末２０に提示する。注文票受付端末２０では、ユーザにより提示された注文票６０の情報に従って処理が行われる。このように上記受付システムでは注文票発行端末１０と注文票受付端末２０とを別個独立の端末として設けているため、あるユーザについての注文票発行端末１０による処理と、他のユーザについての注文票受付端末２０による処理とを並行して行うことができる。
【００４７】
（第２の実施形態）
第２の実施形態による注文受付システムの全体構成は第１の実施形態において説明したものと同様である。第１の実施形態のシステムと異なる点は、注文票発行端末１０により発行される注文票５０のフォーマットと、注文票受付端末２０により行われる処理の一部である。以下、相違点を中心に図７のフローチャートを参照しつつ説明する。
【００４８】
＜注文票発行ステップ＞
第１の実施形態と同様にしてステップＳＴ１１〜ＳＴ１５における処理が行われ、注文票（注文シート）５０がユーザに発行される。この注文票５０には、識別情報を表示するための領域５１０のみが設けられており、図４に示したサムネイルを表示する領域５２１〜５２６および注文情報を記入する領域５３１〜５３６は設けられていない。第１の実施形態と同様にここでも領域５１０に識別情報「２００４０１０１０００２」が注文番号として表示されているものとする。
【００４９】
＜注文票受付ステップ＞
＜ＳＴ２１＞
ユーザは注文票６０をスキャナ２１にセットする。
＜ＳＴ３１＞
注文票６０がセットされるとスキャナ２１は、注文票６０の領域５１０に表示されている識別情報「２００４０１０１０００２」を読み取る。
＜ＳＴ３２＞
次に読み取り制御部２２は、図８に示すように、スキャナ２１により読み取られた識別情報を表示するための領域５１０と、この識別情報に対応づけられて記憶装置１３に記憶された画像データのサムネイルを表示する領域５２１〜５２６と、このサムネイルに対応する画像データについての注文情報の入力を促す領域５３１〜５３６とが設けられた注文情報入力画面をモニタ２３に表示させる。図８の例では、領域５１０には識別情報「２００４０１０１０００２」が注文番号として表示されている。また、領域５２１〜５２６には画像データ１〜６のサムネイルが表示されている。領域５２１〜５２６の左上には各サムネイルを識別するための番号１〜６が表示されている。さらに領域５３１〜５３６には、画像データ１〜６についての注文情報（ここでは「枚数」と「サイズ」）をユーザが入力するためのボックスが表示されている。領域５３１は、領域５２１に表示されたサムネイルに対応する画像データ１についての注文情報をユーザが入力するための領域である。このことをユーザに明示するために領域５３１の左上には、領域５２１の左上に表示されている番号と同じ番号「１」が表示されている。領域５３２〜５３６についても同様である。この例では、領域５３１〜５３６のそれぞれに「枚数」の入力をユーザに促すボックスと「サイズ」の選択をユーザに促すチェックボックスとが表示されている。「枚数」については希望する数字をユーザがテンキー等で入力するようになっており、「サイズ」については表示されているＬおよび２Ｌのうち希望するサイズに対応するチェックボックスをマウスでクリックするようになっている。「枚数」の入力を促すボックスは、そこに１以上の数字が入力されることによりユーザが出力注文を希望していることを示し、０の数字が入力されることによりユーザが出力注文を希望していないことを示す。
＜ＳＴ３３＞
モニタ２３に表示された注文入力画面においてユーザが希望する注文情報を入力する。
＜ＳＴ２３＞
ユーザの注文情報の入力が終了すると読み取り制御部２２は、注文入力画面２３の領域５３１〜５３６に入力された注文情報を受け取り、識別情報「２００４０１０１０００２」をフォルダ名とするフォルダに格納されている画像データ１〜６に対応づけて注文情報を記憶装置１３に格納する。
＜ＳＴ２４＞
また読み取り制御部２２は、「枚数０」の注文情報を受け取った画像データについてはユーザからの出力注文の希望がない画像データであると判断し、その画像データを記憶装置１３から削除する。
【００５０】
次に第１の実施形態と同様に写真処理装置３０による出力処理が行われる。
【００５１】
＜変形例＞
ここではステップＳＴ２１〜ＳＴ３２において、注文票６０に表示されている識別情報をスキャナ２１で読み取るようにしたが次のようにしてもよい。まず、識別情報の入力をユーザに促す画面をモニタ２３に表示する。キー入力やタッチパネル入力等によりユーザが識別情報を入力すると、これを読み取り制御部２２が認識する。次に読み取り制御部２２は、図８に示すように、認識した識別情報を表示するための領域５１０と、この識別情報に対応づけられて記憶装置１３に記憶された画像データのサムネイルを表示する領域５２１〜５２６と、このサムネイルに対応する画像データについての注文情報の入力を促す領域５３１〜５３６とが設けられた注文情報入力画面をモニタ２３に表示させる。
【産業上の利用可能性】
【００５２】
本発明による注文受付システムは、従来の店頭受付機と比べて、注文受付処理を円滑に進めることができ、ユーザにとっても抵抗感無く、かつサービス店にとってもユーザのデータの取り扱いに関するトラブルの心配をすることなく出力注文受付が可能となり、デジタルカメラ等からのプリント需要を従来のフィルムカメラ同様に活性化することが期待できる。
【図面の簡単な説明】
【００５３】
【図１】第１の実施形態による注文受付システムの全体構成を示すブロック図である。
【図２】図１に示した注文受付システムによる処理の流れを示すフローチャートである。
【図３】メモリカードから注文票発行端末の記憶装置への画像データの格納処理を説明するための図である。
【図４】図１に示した注文票発行端末によってユーザに対して発行される注文票の一例を示す図である。
【図５】ユーザによって注文情報が記入された状態の注文票の一例を示す図である。
【図６】注文票から読み取られた注文情報が画像データと対応づけられて記憶装置に格納される状態を示す図である。
【図７】第２の実施形態による注文受付システムにおいて行われる処理の流れを示すフローチャートである。
【図８】第２の実施形態による注文受付システムにおいて注文票受付端末のモニタに表示される注文受付画面の一例を示す図である。
【符号の説明】
【００５４】
１０  注文票発行端末
１１  インタフェース
１２  読み出し／記録制御部
１３  記憶装置
１４  注文票発行部
２０  注文票受付端末
２１  スキャナ
２２  読み取り制御部
２３モニタ
３０  写真処理装置
４０  メモリカード
５０，６０  注文票
【図１】
2005251026.tif 000003
【図２】
2005251026.tif 000004
【図３】
2005251026.tif 000005
【図４】
2005251026.tif 000006
【図５】
2005251026.tif 000007
【図６】
2005251026.tif 000008
【図７】
2005251026.tif 000009
【図８】
2005251026.tif 000010